(57)【要約】【課題】画面の縦方向の乱れがユーザに不快感を与えることを防止する。【解決手段】第１の映像信号３１の同期信号にタイミングが等しい同期信号を有し、画像が無地画像である第１の無地映像信号４１と第１の映像信号３１とを切り換える第１の信号切換部１１と、第２の映像信号の同期信号にタイミングが等しい同期信号を有し、画像が無地画像である第２の無地映像信号と第２の映像信号とを切り換える第２の信号切換部１２とを備え、出力切換スイッチ３から出力される映像信号を、第２の映像信号（第１の映像信号）から第１の映像信号（第２の映像信号）に切り換えるときには、出力切換スイッチ３から出力される信号を、切り換え直後の所定期間において第１の無地映像信号（第２の無地映像信号）とした後に第１の映像信号（第２の映像信号）に変更する。【選択図】  図１
0003110010.tif 000002
【実用新案登録請求の範囲】
【請求項１】
ビデオカセットテープを記録媒体として映像信号の記録と映像信号の再生とを行うテープ記録再生部と、
ＤＶＤを記録媒体として映像信号の記録と映像信号の再生とを行うディスク記録再生部と、
第１の入力端子にはテープ記録再生部から出力される映像信号である第１の映像信号が導かれ、第２の入力端子にはディスク記録再生部から出力される映像信号である第２の映像信号が導かれ、出力する映像信号を第１の映像信号または第２の映像信号に切り換える出力切換スイッチとを備えたビデオカセットレコーダ一体型光ディスク装置において、
第１の入力端子に送出する信号を、第１の映像信号の同期信号にタイミングが等しい同期信号を有するとともに画像が黒無地画像である第１の無地映像信号と第１の映像信号とに切り換える第１の信号切換部と、
第２の入力端子に送出する信号を、第２の映像信号の同期信号にタイミングが等しい同期信号を有するとともに画像が黒無地画像である第２の無地映像信号と第２の映像信号とに切り換える第２の信号切換部とを備え、
第１の信号切換部は、出力切換スイッチから出力される映像信号が第２の映像信号から第１の映像信号に切り換わるときには、第１の入力端子に送出する信号を、所定期間において第１の無地映像信号とした後に第１の映像信号に切り換え、
第２の信号切換部は、出力切換スイッチから出力される映像信号が第１の映像信号から第２の映像信号に切り換わるときには、第２の入力端子に送出する信号を、所定期間において第２の無地映像信号とした後に第２の映像信号に切り換え、
テープ記録再生部は、デジタル信号回路用のＨレベルとＬレベルとにレベルが変化するデジタルレベル同期信号を送出し、
第１の信号切換部は、
デジタルレベル同期信号に基づいて第１の無地映像信号を生成して送出する無地信号生成部と、
第１の入力端子に送出する信号を無地信号生成部から送出される第１の無地映像信号と第１の映像信号とに切り換える無地挿入スイッチとを備え、
無地信号生成部は、
一方の端子にデジタルレベル同期信号が導かれた第１の抵抗と、
ベースには第１の抵抗の他方の端子が接続され、エミッタが接地されたトランジスタと、
トランジスタのコレクタとプラス電源との間に接続された第２の抵抗と、
一方の端子がトランジスタのコレクタに接続された第３の抵抗と、
一方の端子がプラス電源に接続され、他方の端子が第３の抵抗の他方の端子に接続された第４の抵抗と、
一方の端子が接地され、他方の端子が第３の抵抗の他方の端子に接続された第５の抵抗とを備え、
第３の抵抗の他方の端子から第１の無地映像信号を送出することを特徴とするビデオカセットレコーダ一体型光ディスク装置。
【請求項２】
ビデオカセットテープを記録媒体として映像信号の記録と映像信号の再生とを行うテープ記録再生部と、
光ディスクを記録媒体として映像信号の記録と映像信号の再生とを行うディスク記録再生部と、
第１の入力端子にはテープ記録再生部から出力される映像信号である第１の映像信号が導かれ、第２の入力端子にはディスク記録再生部から出力される映像信号である第２の映像信号が導かれ、出力する映像信号を第１の映像信号または第２の映像信号に切り換える出力切換スイッチとを備えたビデオカセットレコーダ一体型光ディスク装置において、
第１の入力端子に送出する信号を、第１の映像信号の同期信号にタイミングが等しい同期信号を有するとともに画像が無地画像である第１の無地映像信号と第１の映像信号とに切り換える第１の信号切換部と、
第２の入力端子に送出する信号を、第２の映像信号の同期信号にタイミングが等しい同期信号を有するとともに画像が無地画像である第２の無地映像信号と第２の映像信号とに切り換える第２の信号切換部とを備え、
第１の信号切換部は、出力切換スイッチから出力される映像信号が第２の映像信号から第１の映像信号に切り換わるときには、第１の入力端子に送出する信号を、所定期間において第１の無地映像信号とした後に第１の映像信号に切り換え、
第２の信号切換部は、出力切換スイッチから出力される映像信号が第１の映像信号から第２の映像信号に切り換わるときには、第２の入力端子に送出する信号を、所定期間において第２の無地映像信号とした後に第２の映像信号に切り換えることを特徴とするビデオカセットレコーダ一体型光ディスク装置。
【請求項３】
第１の無地映像信号を黒の無地画像を示す映像信号とし、第２の無地映像信号を黒の無地画像を示す映像信号としたことを特徴とする請求項２に記載のビデオカセットレコーダ一体型光ディスク装置。
【請求項４】
テープ記録再生部は、デジタル信号回路用のＨレベルとＬレベルとにレベルが変化するデジタルレベル同期信号を送出し、
第１の信号切換部は、
デジタルレベル同期信号に基づき、黒無地画像を示す第１の無地映像信号を生成して送出する無地信号生成部と、
第１の入力端子に送出する信号を無地信号生成部から送出される第１の無地映像信号と第１の映像信号とに切り換える無地挿入スイッチとを備えたことを特徴とする請求項３に記載のビデオカセットレコーダ一体型光ディスク装置。
【請求項５】
第１の入力端子には第１の映像信号が導かれ、第２の入力端子には第２の映像信号が導かれ、出力する映像信号を第１の映像信号または第２の映像信号に切り換える出力切換スイッチを備えた映像信号装置において、
第１の入力端子に送出する信号を、第１の映像信号の同期信号にタイミングが等しい同期信号を有するとともに画像が無地画像である第１の無地映像信号と第１の映像信号とに切り換える第１の信号切換部と、
第２の入力端子に送出する信号を、第２の映像信号の同期信号にタイミングが等しい同期信号を有するとともに画像が無地画像である第２の無地映像信号と第２の映像信号とに切り換える第２の信号切換部とを備え、
第１の信号切換部は、出力切換スイッチから出力される映像信号が第２の映像信号から第１の映像信号に切り換わるときには、第１の入力端子に送出する信号を、所定期間において第１の無地映像信号とした後に第１の映像信号に切り換え、
第２の信号切換部は、出力切換スイッチから出力される映像信号が第１の映像信号から第２の映像信号に切り換わるときには、第２の入力端子に導かれる信号を、所定期間において第２の無地映像信号とした後に第２の映像信号に切り換えることを特徴とする映像信号装置。
【考案の詳細な説明】
【技術分野】
【０００１】
本考案は、出力する映像信号を第１の映像信号または第２の映像信号に切り換える出力切換スイッチを備えたビデオカセットレコーダ一体型光ディスク装置および映像信号装置に係り、より詳細には、出力される映像信号が第１の映像信号から第２の映像信号に、あるいは、第２の映像信号から第１の映像信号に切り換わるときには、切り換え直後の所定期間において出力される映像信号を無地画像を示す映像信号としたビデオカセットレコーダ一体型光ディスク装置および映像信号装置に関するものである。
【背景技術】
【０００２】
ビデオカセットテープやＤＶＤに映像信号の記録が可能であるビデオカセットレコーダ一体型光ディスク装置においては、図９に示すように、ビデオカセットテープ（以下では、ビデオテープと称する）９を記録媒体として、映像信号の記録再生を行うテープ記録再生部１と、ＤＶＤ１０を記録媒体として、映像信号の記録再生を行うディスク記録再生部２とが設けられている。そして、出力切換スイッチ３は、マイクロコンピュータ５ａの指示に従い、テープ記録再生部１から出力される映像信号、または、ディスク記録再生部２から出力される映像信号の一方を選択して、出力回路部４に送出する（第１の従来技術とする）。
【０００３】
また、以下に示す技術が提案されている（第２の従来技術とする）。すなわち、この技術では、表示器の水平垂直複合同期信号（以下では、単に複合同期信号と称する）、および、複合同期信号の積分信号に関連する信号処理を行うようになっている。つまり、複合同期信号のレベルがＨレベルからＬレベルに変化し、複合同期信号の積分信号がＬレベルのとき、Ｈレベルを送出する第１ロジック回路を設けている。また、複合同期信号のレベルがＬレベルからＨレベルに変化し、第１ロジック回路の出力がＨレベルとなるとき、Ｌレベルを出力する第２ロジック回路を設けている。また、複合同期信号がＬレベルであり、第１ロジック回路の出力がＬレベルであるとき、Ｌレベルを出力する第３ロジック回路を設けている。また、第２ロジック回路の出力と第３ロジック回路の出力との双方がＨレベルとなるとき、Ｈレベルを出力する第４ロジック回路を設けている。すなわち、第１〜第４ロジック回路を設けることによって、複合同期信号における垂直同期信号の幅を修正した複合同期信号を生成している。従って、表示器は、第４ロジック回路から送出される修正された複合同期信号に基づいて、表示を遮蔽する遮蔽信号の生成を行うことができる。そして、修正された複合同期信号を用いるときでは、生成される遮蔽信号は、表示されてはならない画素の表示を確実に遮蔽する信号となるので、表示されてはならない画素が表示されることが原因となる画面の見づらさが解消されることになる（例えば、特許文献１参照）。
【０００４】
また、以下に示す技術が提案されている（第３の従来技術とする）。すなわち、ビデオカセットレコーダにおいて時間軸補正を行うときでは、回転ヘッドによって再生された信号を、Ａ／Ｄ変換した後、メモリに書き込んでいる。また、メモリに書き込んだ信号を読み出してＤ／Ａ変換した後、出力している。且つ、メモリへの書き込み動作とメモリからの読み出し動作とを並行して行うようになっている。従って、メモリの記憶容量が小さいときでは、読み出しアドレスが書き込みアドレスを追い越す、あるいは、書き込みアドレスが読み出しアドレスを追い越す事態が生じ、画面の縦揺れが発生する。このため、読み出しアドレスが書き込みアドレスを追い越すことがないように、回転ヘッドの回転位相を制御する手段を設けることによって、読み出しアドレスが書き込みアドレスを追い越す、あるいは、書き込みアドレスが読み出しアドレスを追い越す事態の発生を防止している。従って、画面の縦揺れの発生が防止されることになる（例えば、特許文献２参照）。
【特許文献１】特開２００２−１８２６３６号公報
【特許文献２】特開平１１−１３６６４１号公報
【考案の開示】
【考案が解決しようとする課題】
【０００５】
しかしながら、第１の従来技術を用いる場合には、以下に示す問題を生じていた。すなわち、ＶＣＲモードにおいて停止状態や録画状態となる場合、出力回路部４には、ビデオ信号処理部２３と出力切換スイッチ３とを介して、チューナ部８から出力される映像信号が導かれる。また、ＤＶＤモードにおいて停止状態や録画状態となる場合、出力回路部４には、ディスク信号処理部２４と出力切換スイッチ３とを介して、チューナ部８から出力される映像信号が導かれる。一方、ディスク信号処理部２４においては、図２に示すように、チューナ部８から出力された映像信号は、Ａ／Ｄ変換部５１においてＡ／Ｄ変換された後、信号処理回路部５２において信号処理される。そして後、Ｄ／Ａ変換部５４においてアナログ映像信号に変換され、出力切換スイッチ３に出力される。このため、ディスク信号処理部２４から出力される映像信号は、ディスク信号処理部２４に入力される映像信号より遅れた信号となる（遅れ時間は５０ｍＳ〜１００ｍＳ程度である）。一方、ビデオ信号処理部２３から出力される映像信号は、ビデオ信号処理部２３に入力される映像信号に対し、遅れ時間は極めて少ない。
【０００６】
すなわち、ビデオ信号処理部２３から出力される映像信号を図８（Ａ）によって示すとすると、ディスク信号処理部２４から出力される映像信号は、垂直同期信号の位相関係において、同図（Ｂ）となることがある（図８においては、図面を見易くするため、垂直帰線期間における水平同期信号の図示を省略している）。従って、このときでは、電源オンにおける停止状態の時刻Ｔ５において、ＶＣＲモードからＤＶＤモードに切り換えると、出力切換スイッチ３から送出される映像信号は、同図（Ｃ）に示す信号となり、時刻Ｔ５の近傍において、垂直同期信号の間隔（ｔ８により示す）が所定の間隔（約１６．７ｍＳ）より広くなる。また、ＤＶＤモードからＶＣＲモードに切り換えると、出力切換スイッチ３から送出される映像信号は、同図（Ｄ）に示す信号となり、時刻Ｔ５の近傍において、垂直同期信号の間隔（ｔ９により示す）が所定の間隔（約１６．７ｍＳ）より狭くなる。その結果、出力回路部４から送出される映像信号が導かれたテレビ受像機６１においては、垂直同期信号に対する追従に乱れが生じ、時刻Ｔ５の直後において画面に縦方向の乱れが発生し、ユーザに不快感を与えていた。
【０００７】
第２の従来技術は、修正された複合同期信号を生成することによって、表示されてはならない画素が表示されることを防止する技術となっているので、第１の従来技術における問題を解決する観点からは、適用することが困難な技術となっている。
【０００８】
第３の従来技術は、メモリの読み出しアドレスが書き込みアドレスを追い越すことがないように、回転ヘッドの回転位相を制御することによって、画面の縦揺れを防止する技術となっているので、第１の従来技術における問題を解決する観点からは、適用することが困難な技術となっている。
【０００９】
本考案は、上記の問題点を解決するため創案されたものであり、その目的は、２種の映像信号の一方から他方に切り換えるときには、切り換え直後の所定期間における画像を無地画像とすることにより、画面の縦方向の乱れがユーザに不快感を与えることを防止することのでき、且つ、無地画像を黒の無地画像とすることにより、無地画像を示す映像信号の生成回路を簡単化することのでき、且つ、黒無地画像を示す映像信号の生成回路の簡単化を好適に行うことのでき、且つ、黒無地画像を示す映像信号の生成回路を１つのトランジスタと５つの抵抗とでもって構成することのできるビデオカセットレコーダ一体型光ディスク装置を提供することにある。
【００１０】
また本考案の目的は、出力する映像信号を、テープ記録再生部からの映像信号とディスク記録再生部からの映像信号とのうちの一方から他方に切り換えるときには、切り換え直後の所定期間における画像を無地画像として、切り換え以前の映像信号と以後の映像信号との垂直同期信号の位相の差異が原因となる画面の縦方向の乱れを見えなくすることにより、画面の縦方向の乱れがユーザに不快感を与えることを防止することのできるビデオカセットレコーダ一体型光ディスク装置を提供することにある。
【００１１】
また上記目的に加え、無地画像を黒の無地画像とすることにより、無地画像を示す映像信号の生成回路を簡単化することのできるビデオカセットレコーダ一体型光ディスク装置を提供することにある。
【００１２】
また上記目的に加え、黒無地画像を示す映像信号の生成回路の簡単化を好適に行うことのできるビデオカセットレコーダ一体型光ディスク装置を提供することにある。
【００１３】
また本考案の目的は、出力する映像信号を、第１の映像信号と第２の映像信号とのうちの一方から他方に切り換えるときには、切り換え直後の所定期間における画像を無地画像として、切り換え以前の映像信号と以後の映像信号との垂直同期信号の位相の差異が原因となる画面の縦方向の乱れを見えなくすることにより、画面の縦方向の乱れがユーザに不快感を与えることを防止することのできる映像信号装置を提供することにある。
【課題を解決するための手段】
【００１４】
上記の課題を解決するため、本考案に係るビデオカセットレコーダ一体型光ディスク装置は、ビデオカセットテープを記録媒体として映像信号の記録と映像信号の再生とを行うテープ記録再生部と、ＤＶＤを記録媒体として映像信号の記録と映像信号の再生とを行うディスク記録再生部と、第１の入力端子にはテープ記録再生部から出力される映像信号である第１の映像信号が導かれ、第２の入力端子にはディスク記録再生部から出力される映像信号である第２の映像信号が導かれ、出力する映像信号を第１の映像信号または第２の映像信号に切り換える出力切換スイッチとを備えたビデオカセットレコーダ一体型光ディスク装置に適用している。そして、第１の入力端子に送出する信号を、第１の映像信号の同期信号にタイミングが等しい同期信号を有するとともに画像が黒無地画像である第１の無地映像信号と第１の映像信号とに切り換える第１の信号切換部と、第２の入力端子に送出する信号を、第２の映像信号の同期信号にタイミングが等しい同期信号を有するとともに画像が黒無地画像である第２の無地映像信号と第２の映像信号とに切り換える第２の信号切換部とを備えている。また、第１の信号切換部は、出力切換スイッチから出力される映像信号が第２の映像信号から第１の映像信号に切り換わるときには、第１の入力端子に送出する信号を、所定期間において第１の無地映像信号とした後に第１の映像信号に切り換え、第２の信号切換部は、出力切換スイッチから出力される映像信号が第１の映像信号から第２の映像信号に切り換わるときには、第２の入力端子に送出する信号を、所定期間において第２の無地映像信号とした後に第２の映像信号に切り換え、テープ記録再生部は、デジタル信号回路用のＨレベルとＬレベルとにレベルが変化するデジタルレベル同期信号を送出する。また、第１の信号切換部は、デジタルレベル同期信号に基づいて第１の無地映像信号を生成して送出する無地信号生成部と、第１の入力端子に送出する信号を無地信号生成部から送出される第１の無地映像信号と第１の映像信号とに切り換える無地挿入スイッチとを備えている。また、無地信号生成部は、一方の端子にデジタルレベル同期信号が導かれた第１の抵抗と、ベースには第１の抵抗の他方の端子が接続され、エミッタが接地されたトランジスタと、トランジスタのコレクタとプラス電源との間に接続された第２の抵抗と、一方の端子がトランジスタのコレクタに接続された第３の抵抗と、一方の端子がプラス電源に接続され、他方の端子が第３の抵抗の他方の端子に接続された第４の抵抗と、一方の端子が接地され、他方の端子が第３の抵抗の他方の端子に接続された第５の抵抗とを備え、第３の抵抗の他方の端子から第１の無地映像信号を送出するようになっている。
【００１５】
すなわち、出力切換スイッチから出力される映像信号が、第２の映像信号から第１の映像信号に、あるいは、第１の映像信号から第２の映像信号に切り換わるときには、垂直同期信号の位相が異なるため、テレビ受像機において、短時間の画面の縦方向の乱れが生じる。しかし、この縦方向の乱れが生じる期間では、画面は黒無地画像となるので、画面の縦方向の乱れは見えなくなる。また、画像の色を示す色信号の生成が不要であり、輝度が黒レベルである映像信号を生成するのみで、第１の無地映像信号が得られる。また、デジタルレベルのＨレベルとＬレベルとにレベルが変化するデジタルレベル同期信号は、回転ヘッドやキャプスタンの回転の制御に必要な信号となるので、別途に生成する必要のない信号となっている。このため、デジタルレベル同期信号のレベルや極性を修正する回路を設けるのみで、第１の無地映像信号を生成することができる。また、第１の無地映像信号の生成回路は１つのトランジスタと５つの抵抗とでもって構成されている。
【００１６】
また本考案に係るビデオカセットレコーダ一体型光ディスク装置は、ビデオカセットテープを記録媒体として映像信号の記録と映像信号の再生とを行うテープ記録再生部と、光ディスクを記録媒体として映像信号の記録と映像信号の再生とを行うディスク記録再生部と、第１の入力端子にはテープ記録再生部から出力される映像信号である第１の映像信号が導かれ、第２の入力端子にはディスク記録再生部から出力される映像信号である第２の映像信号が導かれ、出力する映像信号を第１の映像信号または第２の映像信号に切り換える出力切換スイッチとを備えたビデオカセットレコーダ一体型光ディスク装置に適用している。そして、第１の入力端子に送出する信号を、第１の映像信号の同期信号にタイミングが等しい同期信号を有するとともに画像が無地画像である第１の無地映像信号と第１の映像信号とに切り換える第１の信号切換部と、第２の入力端子に送出する信号を、第２の映像信号の同期信号にタイミングが等しい同期信号を有するとともに画像が無地画像である第２の無地映像信号と第２の映像信号とに切り換える第２の信号切換部とを備え、第１の信号切換部は、出力切換スイッチから出力される映像信号が第２の映像信号から第１の映像信号に切り換わるときには、第１の入力端子に送出する信号を、所定期間において第１の無地映像信号とした後に第１の映像信号に切り換え、第２の信号切換部は、出力切換スイッチから出力される映像信号が第１の映像信号から第２の映像信号に切り換わるときには、第２の入力端子に送出する信号を、所定期間において第２の無地映像信号とした後に第２の映像信号に切り換えるようになっている。
【００１７】
すなわち、出力切換スイッチから出力される映像信号が、第２の映像信号から第１の映像信号に、あるいは、第１の映像信号から第２の映像信号に切り換わるときには、垂直同期信号の位相が異なるため、テレビ受像機において、短時間の画面の縦方向の乱れが生じる。しかし、この縦方向の乱れが生じる期間では、画面は無地画像となるので、画面の縦方向の乱れは見えなくなる。
【００１８】
また、上記構成に加え、第１の無地映像信号を黒の無地画像を示す映像信号とし、第２の無地映像信号を黒の無地画像を示す映像信号としている。すなわち、画像の色を示す色信号の生成が不要であり、輝度が黒レベルである映像信号を生成するのみで、第１の無地映像信号が得られる。
【００１９】
また、上記構成に加え、テープ記録再生部は、デジタル信号回路用のＨレベルとＬレベルとにレベルが変化するデジタルレベル同期信号を送出し、第１の信号切換部は、デジタルレベル同期信号に基づき、黒無地画像を示す第１の無地映像信号を生成して送出する無地信号生成部と、第１の入力端子に送出する信号を無地信号生成部から送出される第１の無地映像信号と第１の映像信号とに切り換える無地挿入スイッチとを備えている。すなわち、デジタルレベルのＨレベルとＬレベルとにレベルが変化するデジタルレベル同期信号は、回転ヘッドやキャプスタンの回転の制御に必要な信号となるので、別途に生成する必要のない信号となっている。このため、デジタルレベル同期信号のレベルや極性を修正する回路を設けるのみで、第１の無地映像信号を生成することができる。
【００２０】
また、本考案に係る映像信号装置は、第１の入力端子には第１の映像信号が導かれ、第２の入力端子には第２の映像信号が導かれ、出力する映像信号を第１の映像信号または第２の映像信号に切り換える出力切換スイッチを備えた映像信号装置に適用している。そして、第１の入力端子に送出する信号を、第１の映像信号の同期信号にタイミングが等しい同期信号を有するとともに画像が無地画像である第１の無地映像信号と第１の映像信号とに切り換える第１の信号切換部と、第２の入力端子に送出する信号を、第２の映像信号の同期信号にタイミングが等しい同期信号を有するとともに画像が無地画像である第２の無地映像信号と第２の映像信号とに切り換える第２の信号切換部とを備え、第１の信号切換部は、出力切換スイッチから出力される映像信号が第２の映像信号から第１の映像信号に切り換わるときには、第１の入力端子に送出する信号を、所定期間において第１の無地映像信号とした後に第１の映像信号に切り換え、第２の信号切換部は、出力切換スイッチから出力される映像信号が第１の映像信号から第２の映像信号に切り換わるときには、第２の入力端子に導かれる信号を、所定期間において第２の無地映像信号とした後に第２の映像信号に切り換えるようになっている。
【００２１】
すなわち、出力切換スイッチから出力される映像信号が、第２の映像信号から第１の映像信号に、あるいは、第１の映像信号から第２の映像信号に切り換わるときには、垂直同期信号の位相が異なるため、テレビ受像機において、短時間の画面の縦方向の乱れが生じる。しかし、この縦方向の乱れが生じる期間では、画面は無地画像となるので、画面の縦方向の乱れは見えなくなる。
【考案の効果】
【００２２】
本考案によれば、垂直同期信号の位相が異なるため、テレビ受像機において、短時間の画面の縦方向の乱れが生じるときにも、この縦方向の乱れが生じる期間では、画面は黒無地画像となるので、画面の縦方向の乱れは見えなくなる。また、色信号を生成することなく、輝度が黒レベルである映像信号を生成するのみで、第１の無地映像信号が得られる。また、デジタルレベル同期信号は別途に生成する必要のない信号となっているので、デジタルレベル同期信号のレベルや極性を修正する回路を設けるのみで、第１の無地映像信号を生成することができる。また、第１の無地映像信号の生成回路は１つのトランジスタと５つの抵抗とでもって構成されている。このため、画面の縦方向の乱れがユーザに不快感を与えることを防止することができ、且つ、無地画像を示す映像信号の生成回路を簡単化することができ、且つ、黒無地画像を示す映像信号の生成回路の簡単化を好適に行うことができ、且つ、黒無地画像を示す映像信号の生成回路を１つのトランジスタと５つの抵抗とでもって構成することができる。
【００２３】
また本考案によれば、垂直同期信号の位相が異なるため、テレビ受像機において、短時間の画面の縦方向の乱れが生じるときにも、この縦方向の乱れが生じる期間では、画面は無地画像となるので、画面の縦方向の乱れがユーザに不快感を与えることを防止することができる。
【００２４】
また、さらに、色信号を生成することなく、輝度が黒レベルである映像信号を生成するのみで、第１の無地映像信号が得られるため、無地画像を示す映像信号の生成回路を簡単化することができる。
【００２５】
また、さらに、デジタルレベル同期信号は別途に生成する必要のない信号となっているので、デジタルレベル同期信号のレベルや極性を修正する回路を設けるのみで、第１の無地映像信号を生成することができる。このため、黒無地画像を示す映像信号の生成回路の簡単化を好適に行うことができる。
【考案を実施するための最良の形態】
【００２６】
以下、本考案の実施の形態について図を参照して説明する。
【００２７】
図１は、本考案に係る映像信号装置の一実施形態の電気的構成を示すブロック線図であり、具体的には、ビデオカセットレコーダ一体型光ディスク装置を示している。また、図９に示す従来技術と同一となるブロックには、図９における符号と同じ符号を付与している。
【００２８】
本実施形態は大別すると、テープ記録再生部１、ディスク記録再生部２、出力切換スイッチ３、出力回路部４、マイクロコンピュータ（以下では、マイコンと称する）５、入力回路部６、チューナ部８、および、第１の信号切換部１１（その機能の一部はマイコン５により実行される）を備えている。
【００２９】
チューナ部８は、マイコン５より指示されたチャンネルの商用放送を受信する。そして、受信により得られた映像信号を、ビデオ信号処理部２３とディスク信号処理部２４とに送出する。入力回路部６は、装置本体の前面パネルに設けられた電源キー等の複数のキースイッチ（図示を省略）や、リモートコントローラ（以下ではリモコンと称する）７からの赤外線信号を受光する受光ユニット（図示を省略）等を備えており、ユーザからの指示が入力される。また、入力された指示をマイコン５に送出する。
【００３０】
テープ記録再生部１は、ビデオカセットテープ（ビデオテープ）９を記録媒体として、映像信号の記録と映像信号の再生とを行う。このため、テープ機構部２１、ビデオ制御部２２、および、ビデオ信号処理部２３を備えている。
【００３１】
詳細には、テープ機構部２１は、図示されない回転ヘッドや走行機構部を備えており、ビデオ信号処理部２３から送出される信号をビデオテープ９に記録する。また、ビデオテープ９に記録された信号を再生して、ビデオ信号処理部２３に送出する。ビデオ制御部２２は、テープ記録再生部１としての動作を制御する。すなわち、ビデオ信号処理部２３から送出されるデジタルレベル同期信号２３０（後に詳述する）に基づいて、テープ機構部２１の回転ヘッドの回転やキャプスタン（図示を省略）の回転、等を制御する。また、ビデオ信号処理部２３の動作を制御する。
【００３２】
ビデオ信号処理部２３は、録画となるときには、チューナ部８から出力される映像信号（外部から入力される映像信号も含む）を所定処理して得られた信号（ＦＭ輝度信号および低域変換色信号）をテープ機構部２１に出力することにより、映像信号をビデオテープ９に記録する。また、再生となるときには、テープ機構部２１においてビデオテープ９より再生された信号を所定処理して得られた映像信号３１を無地挿入スイッチ２７のａ接点に送出する。また、再生時以外のとき（電源オンの停止状態や録画状態のとき）では、チューナ部８より出力される映像信号を、第１の映像信号３１として、無地挿入スイッチ２７のａ接点に送出する。
【００３３】
また、ビデオ信号処理部２３は、第１の映像信号３１の同期信号とタイミングが同じであり、デジタル信号回路用のＨレベルとＬレベルとにレベルが変化するデジタルレベル同期信号２３０を、ビデオ制御部２２と無地信号生成部２６とに送出する。
【００３４】
ディスク記録再生部２は、ＤＶＤ（光ディスク）１０を記録媒体として、映像信号の記録と映像信号の再生とを行う。このため、ディスク信号処理部２４、および、ディスクドライブ部２５を備えている。
【００３５】
ディスク信号処理部２４は、図２に示すように、Ａ／Ｄ変換部５１、信号処理回路部５２、加算器５３、Ｄ／Ａ変換部５４、および、同期信号発生部５５を備えており、Ａ／Ｄ変換部５１は、チューナ部８から出力される映像信号をＡ／Ｄ変換する。信号処理回路部５２は、Ａ／Ｄ変換された映像信号をＭＰＥＧ２方式で圧縮処理する（Ａ／Ｄ変換された音声信号については、ＡＣ３方式で圧縮する）。そして、圧縮処理して得られた映像情報（音声情報やサブピクチャ情報を含む）を、経路５８を介して、ディスクドライブ部２５に送出する。
【００３６】
また、ディスクドライブ部２５より、経路５８を介して、送出される映像情報（音声情報やサブピクチャ情報を含む）を、ＭＰＥＧ２方式で伸長する（音声情報については、ＡＣ３方式で伸長する）。加算器５３は、伸長によって得られたデジタル映像信号に、同期信号発生部５５において生成された同期信号を加算する。Ｄ／Ａ変換部５４は、同期信号が加算されたデジタル映像信号をアナログ映像信号（第２の映像信号）に変換し、出力切換スイッチ３の第２の入力端子３０２（ｂ接点）に出力する。
【００３７】
なお、ディスク信号処理部２４は、従来技術と同様に、録画状態や電源オン状態における停止状態となる場合、出力切換スイッチ３の第２の入力端子３０２に、チューナ部８から出力される映像信号（第２の映像信号に対応する信号）を送出する。ただし、このときに出力する映像信号（第２の映像信号）は、Ａ／Ｄ変換部５１においてＡ／Ｄ変換され、信号処理回路部５２において信号処理され、次いで、同期信号が加算され、Ｄ／Ａ変換部５４においてＤ／Ａ変換された映像信号となっている。このため、Ｄ／Ａ変換部５４から出力される映像信号は、チューナ部８から出力された映像信号に対して、遅れた信号となっている（遅れ時間は５０ｍＳ〜１００ｍＳ程度である）。
【００３８】
また、信号処理回路部５２は、チューナ部８から出力される映像信号がどのような画像を示す信号となるときでも、マイコン５から黒無地画像の出力の指示が与えられたときには、黒無地画像を示す映像信号を生成して加算器５３に出力する。従って、このときでは、Ｄ／Ａ変換部５４からは、黒無地画像を示す映像信号（請求項記載の第２の無地映像信号）が出力される。
【００３９】
ディスクドライブ部２５は、ディスク信号処理部２４から出力される圧縮処理された映像音声情報を所定処理して得られた信号をＤＶＤ１０に記録する。また、ＤＶＤ１０から再生した信号を所定処理して得られた映像音声情報（圧縮された映像音声情報）をディスク信号処理部２４に送出する。
【００４０】
出力切換スイッチ３は、出力回路部４に送出する映像信号を、テープ記録再生部１から出力され、無地挿入スイッチ２７を介して、第１の入力端子３０１（ａ接点）に導かれた映像信号（第１の映像信号３１）、または、ディスク記録再生部２から出力され、第２の入力端子３０２（ｂ接点）に導かれた映像信号（経路３２を介して導かれる）に切り換える。
【００４１】
第１の信号切換部１１は、出力切換スイッチ３から出力回路部４に送出される映像信号が、第２の入力端子３０２に入力された第２の映像信号から、第１の入力端子３０１に入力された第１の映像信号に切り換わるときには、第１の入力端子３０１に送出する信号を、所定期間において第１の無地映像信号４１とした後に第１の映像信号３１に切り換える。このため、無地信号生成部２６、無地挿入スイッチ２７、および、無地挿入制御部２８を備えている。
【００４２】
無地信号生成部２６は、デジタルレベル同期信号２３０に基づき、第１の映像信号３１の同期信号にタイミングが等しい同期信号を有するとともに、画像が黒無地画像である第１の無地映像信号４１を生成し、無地挿入スイッチ２７のｂ接点に出力する。無地挿入スイッチ２７は、第１の入力端子３０１に送出する信号を、無地信号生成部２６から送出される第１の無地映像信号４１と第１の映像信号３１とに切り換える。無地挿入制御部２８は、マイコン５の機能の一部によって構成されており、無地挿入スイッチ２７の接続の切り換えを制御する。
【００４３】
第２の信号切換部１２は、出力切換スイッチ３から出力される映像信号が第１の映像信号３１から第２の映像信号に切り換わるときには、第２の入力端子３０２に送出する信号を、所定期間において第２の無地映像信号とした後に第２の映像信号に切り換える。すなわち、出力切換スイッチ３から出力される映像信号が第１の映像信号３１から第２の映像信号に切り換わるときには、ディスク信号処理部２４に黒無地の画像を示す映像信号の出力を指示することによって、第２の入力端子３０２に、第２の映像信号の同期信号にタイミングが等しい同期信号を有するとともに画像が黒無地画像である第２の無地映像信号を送出する。そして、約３００ｍＳの期間が経過したとき、ディスク信号処理部２４に、通常の映像信号の出力を指示することによって、第２の入力端子３０２に第２の映像信号を送出する。
【００４４】
マイコン５は、上記した無地挿入制御部２８、および、第２の信号切換部１２を構成するとともに、ビデオカセットレコーダ一体型光ディスク装置としての主要動作を制御する。すなわち、チューナ部８が受信するチャンネルを制御する。また、リモコン７等に入力されたユーザの指示に従ってテープ記録再生部１の動作を制御することにより、ビデオテープ９への録画やビデオテープ９の再生を行う。また、リモコン７等に入力されたユーザの指示に従ってディスク記録再生部２の動作を制御することにより、ＤＶＤ１０への録画やＤＶＤ１０の再生を行う。
【００４５】
以下に、無地信号生成部２６の詳細な電気的接続について、図３を参照しつつ説明する。
【００４６】
同図（Ａ）に示すように、第１の抵抗Ｒ１は、デジタルレベル同期信号２３０をトランジスタＱ１に導くとともに、トランジスタＱ１のベース電流を制限する。このため、第１の抵抗Ｒ１の一方の端子にはデジタルレベル同期信号２３０が導かれ、第１の抵抗Ｒ１の他方の端子はトランジスタＱ１のベースに接続されている。また、トランジスタＱ１のコレクタとプラス電源との間には、負荷となる第２の抵抗Ｒ２が接続されている。また、トランジスタＱ１のエミッタは接地されており、トランジスタＱ１のベースと接地レベルとの間には、ベースインピーダンスの上昇を抑制する抵抗Ｒ６が接続されている。
【００４７】
また、トランジスタＱ１のコレクタには第３の抵抗Ｒ３の一方の端子が接続されており、第３の抵抗Ｒ３の他方の端子とプラス電源との間には第４の抵抗Ｒ４が接続され、第３の抵抗Ｒ３の他方の端子と接地レベルとの間には第５の抵抗Ｒ５が接続されている。また、第３の抵抗Ｒ３の他方の端子は、無地映像信号（第１の無地映像信号）４１の出力点として、無地挿入スイッチ２７のｂ接点に接続されている。
【００４８】
無地信号生成部２６は上記した構成となっている。このため、デジタルレベル同期信号２３０（正論理の同期信号）が、同期パルス（水平同期パルスや垂直同期パルス）を示すＨレベルとなるときには、トランジスタＱ１がオンとなる。このため、等価的には、同図（Ｂ）に示す接続となって、第１の無地映像信号４１のレベルは、第４の抵抗Ｒ４と第５の抵抗Ｒ５とによる分圧回路の第５の抵抗Ｒ５に、第３の抵抗Ｒ３を並列に接続したときのレベルとなる。また、デジタルレベル同期信号２３０が、同期パルスでないレベルを示すＬレベルとなるときには、トランジスタＱ１はオフとなって、等価的には、同図（Ｃ）に示す接続となる。このため、第１の無地映像信号４１のレベルは、第４の抵抗Ｒ４と第５の抵抗Ｒ５とによる分圧回路の第４の抵抗Ｒ４に、第２の抵抗Ｒ２と第３の抵抗Ｒ３とからなる直列回路を並列に接続したときのレベルとなる。
【００４９】
このため、第２の〜第５の抵抗Ｒ２〜Ｒ５については、図３（Ｂ）となるときの第１の無地映像信号４１のレベルと、図３（Ｃ）となるときの第１の無地映像信号４１のレベルとの差異が、コンポジット映像信号としての所定の振幅を有する信号（ピーク・ピーク値が２Ｖである映像信号）の同期パルスの振幅に等しくなるように、それぞれの値が設定されている。
【００５０】
図４は、出力回路部４の詳細な電気的接続を示す回路図である。同図を参照しつつ、出力回路部４について説明すると、出力切換スイッチ３の出力は、抵抗Ｒ８を介して、トランジスタＱ２のベースに導かれている。また、トランジスタＱ２のコレクタは接地されており、トランジスタＱ２のエミッタは、抵抗Ｒ９を介して、プラス電源に接続されている。また、トランジスタＱ２のエミッタには、コンデンサＣ１の一方の端子が接続されており、コンデンサＣ１の他方の端子は、出力インピーダンスを設定するための抵抗Ｒ１０の一方の端子に接続されている。そして、抵抗Ｒ１０の他方の端子は、映像信号の出力用の端子（図示を省略）に接続されている。なお、抵抗Ｒ１０の値は７５Ωとなっている。
【００５１】
出力回路部４は上記した構成となっている。このため、出力回路部４は、出力切換スイッチ３から出力される映像信号を、７５Ωの出力インピーダンスを有する信号として、外部に送出する。
【００５２】
図５は、ＤＶＤモードからＶＣＲモードに移行するときの実施形態の主要動作を示すフローチャート、図６は、ＶＣＲモードからＤＶＤモードに移行するときの実施形態の主要動作を示すフローチャート、図７は、主要信号の変化の様子を示す説明図である。必要に応じてこれらの図を参照しつつ、実施形態の動作を説明する。
【００５３】
いま、ＤＶＤモードにおける動作の停止状態にあるとする。従って、このときでは、無地挿入スイッチ２７のｃ接点はａ接点に接続されており、出力切換スイッチ３のｃ接点はｂ接点に接続されている。このため、第１の入力端子３０１には、ビデオ信号処理部２３と無地挿入スイッチ２７とを介して、チューナ部８から出力される映像信号（第１の映像信号３１）が導かれる。また、第２の入力端子３０２には、ディスク信号処理部２４を介して、チューナ部８から出力される映像信号（第２の映像信号）が導かれる。
【００５４】
但し、第２の入力端子３０２に導かれた第２の映像信号は、ディスク信号処理部２４においてデジタル的な信号処理を受けているので、第１の入力端子３０１に導かれた第１の映像信号３１に比べると、遅れた信号となっている。すなわち、第１の入力端子３０１に導かれた第１の映像信号３１と第２の入力端子３０２に導かれた第２の映像信号とは、垂直同期の位相が互いにずれた信号となっている。
【００５５】
この状態において、ＤＶＤモードからＶＣＲモードへの移行の指示がリモコン７に入力される（時刻Ｔ１）と、無地挿入制御部２８は、無地挿入スイッチ２７のｃ接点の接続を、ａ接点からｂ接点に変更する（ステップＳ１，Ｓ２）。このため、出力切換スイッチ３の第１の入力端子３０１には、第１の無地映像信号（図７の４１ａにより示す）が導かれる。また、上記動作と同時的に、出力切換スイッチ３のｃ接点の接続が、ｂ接点からａ接点に変更される（ステップＳ３）。このため、出力回路部４からは、第１の無地映像信号（図７の４１ｂにより示す）が送出される。
【００５６】
なお、既に説明したように、時刻Ｔ１以前において、出力回路部４から送出されていた第２の映像信号（３２ｂにより示す）と、時刻Ｔ１以後に出力回路部４から送出される第１の無地映像信号４１ｂとは、垂直同期信号の位相がずれているので、テレビ受像機６１においては、時刻Ｔ１の直後の１００ｍＳ程度の期間においては、画面の縦方向の乱れが発生する。しかし、このときの画像は黒無地画像となっているため、縦方向の乱れが発生しているにもかかわらず、この乱れは視認されない乱れとなる。
【００５７】
そして、時刻Ｔ１から３００ｍＳが経過したとき（時刻Ｔ２）には、無地挿入制御部２８は、無地挿入スイッチ２７のｃ接点の接続を、ｂ接点からａ接点に変更する。このため、時刻Ｔ２となったときには、ビデオ信号処理部２３から送出される第１の映像信号（３１ａにより示す）が出力回路部４から送出される（３１ｂにより示す）（ステップＳ４，Ｓ５）。従って、テレビ受像機６１においては、ＤＶＤモードからＶＣＲモードに切り換えたとき、視認されるような縦方向の乱れを生じることなく、時刻Ｔ２以後においては、通常の画像が表示されることになる。
【００５８】
上記状態において、ＶＣＲモードからＤＶＤモードへの移行の指示がリモコン７に入力される（時刻Ｔ３）と、第２の信号切換部１２は、ディスク信号処理部２４に指示を与えることによって、ディスク信号処理部２４が送出する映像信号を、通常の映像信号（第２の映像信号）から、黒無地画像を示す第２の無地映像信号（３２ｃにより示す）に変更する（ステップＳ１１，Ｓ１２）。また、上記動作と同時的に、出力切換スイッチ３のｃ接点の接続が、ａ接点からｂ接点に変更される（ステップＳ１３）。このため、出力回路部４からは、第２の無地映像信号（３２ｄにより示す）が送出される。
【００５９】
なお、既に説明したように、時刻Ｔ３以前において、出力回路部４から送出されていた第１の映像信号（３１ｂにより示す）と、時刻Ｔ３以後に出力回路部４から送出される第２の無地映像信号３２ｄとは、垂直同期信号の位相がずれているので、テレビ受像機６１においては、時刻Ｔ３の直後の１００ｍＳ程度の期間においては、画面の縦方向の乱れが発生する。しかし、このときの画像は黒無地画像となっているため、縦方向の乱れが発生しているにもかかわらず、この乱れは視認されない乱れとなる。
【００６０】
そして、時刻Ｔ３から３００ｍＳが経過したとき（時刻Ｔ４）には、第２の信号切換部１２は、ディスク信号処理部２４に指示を与えることによって、ディスク信号処理部２４から送出される映像信号を、第２の無地映像信号３２ｃから、通常の画像を示す第２の映像信号に変更する（３２ｅにより示す）（ステップＳ１４，Ｓ１５）。従って、テレビ受像機６１においては、ＶＣＲモードからＤＶＤモードに切り換えたとき、視認されるような縦方向の乱れを生じることなく、時刻Ｔ４以後では、通常の画像（映像信号３２ｆによる画像）が表示されることになる。
【００６１】
なお、本考案は上記実施形態に限定されず、請求項５記載の構成とするときでは、垂直同期信号の位相が異なる２種の映像信号を切り換えて出力する任意の装置（例えば、入力される２種の映像信号を切り換えて出力する切り換え装置、あるいは、ビデオカセットレコーダ一体型光ディスク装置に、さらに、ハードディスクドライブを記録媒体として、映像信号の記録再生が可能な機能を追加した装置、等）にも、同様に適用することができる。
【００６２】
また、第１の無地映像信号や第２の無地映像信号については、黒無地画像を示す映像信号とした場合について説明したが、その他の色の無地画像を示す映像信号（例えば、青無地の画像を示す映像信号、等）とすることができる。
【００６３】
また、第１の無地映像信号や第２の無地映像信号を送出する期間については、３００ｍＳとした場合について説明したが、垂直同期信号の位相が異なる映像信号が入力されたとき、テレビ受像機６１に縦方向の画像の乱れが生じる期間より長くする場合では、その他の任意の期間（例えば、２００ｍＳ等）とすることができる。
【図面の簡単な説明】
【００６４】
【図１】本考案に係る映像信号装置の一実施形態であるビデオカセットレコーダ一体型光ディスク装置の電気的構成を示すブロック線図である。
【図２】ディスク信号処理部の詳細な電気的構成を示すブロック線図である。
【図３】無地信号生成部の詳細な電気的接続を示す回路図である。
【図４】出力回路部の詳細な電気的接続を示す回路図である。
【図５】ＤＶＤモードからＶＣＲモードに移行するときの実施形態の主要動作を示すフローチャートである。
【図６】ＶＣＲモードからＤＶＤモードに移行するときの実施形態の主要動作を示すフローチャートである。
【図７】主要信号の変化の様子を示す説明図である。
【図８】映像信号を切り換えたときの垂直同期信号の位相ずれを示す説明図である。
【図９】従来技術の電気的構成を示すブロック線図である。
【符号の説明】
【００６５】
１  テープ記録再生部
２  ディスク記録再生部
３  出力切換スイッチ
９  ビデオカセットテープ
１０  ＤＶＤ（光ディスク）
１１  第１の信号切換部
１２  第２の信号切換部
２６  無地信号生成部
２７  無地挿入スイッチ
３１  第１の映像信号
３２  第２の映像信号および第２の無地映像信号
４１  第１の無地映像信号
２３０  デジタルレベル同期信号
３０１  第１の入力端子
３０２  第２の入力端子
Ｑ１  トランジスタ
Ｒ１  第１の抵抗
Ｒ２  第２の抵抗
Ｒ３  第３の抵抗
Ｒ４  第４の抵抗
Ｒ５  第５の抵抗
【図１】
0003110010.tif 000003
【図２】
0003110010.tif 000004
【図３】
0003110010.tif 000005
【図４】
0003110010.tif 000006
【図５】
0003110010.tif 000007
【図６】
0003110010.tif 000008
【図７】
0003110010.tif 000009
【図８】
0003110010.tif 000010
【図９】
0003110010.tif 000011